(57)【要約】【課題】  ＩＣカードに記録された情報に対して行う処理について、その内容を音声で通知することが可能なＩＣホルダーを提供する。【解決手段】  ＳＩＭ２に記録された情報をＣＰＵ３ａが処理した際、処理に関する情報を音声出力設定回路３１が音声に変換し、音量調節ダイヤル３２により設定された音量でイヤホンジャック３３から音声出力する。これにより、利用者は処理内容を音声により知ることができ、利用者が画面を見られないような状況にあるときでも、処理内容を確認することが可能となる。【選択図】  図１
2008040770.tif 000002
【特許請求の範囲】
【請求項１】
着脱可能なＩＣカードに記録された情報を処理可能であるとともに無線通信が可能であるＩＣホルダーであって、
ＣＰＵが処理した情報を音声に変換する音声出力設定回路と、
前記音声出力設定回路から出力する音声の音量を調節する音量調節手段と、
前記音声出力設定回路からイヤホンに音声を出力するためのイヤホンジャックを備えたことを特徴とするＩＣホルダー。
【請求項２】
前記音声出力設定回路は、前記ＣＰＵが処理した情報として、前記ＩＣホルダ内のメモリに搭載されているアプリケーションのタイトルを音声に変換し、イヤホンに出力するものであることを特徴とする請求項１に記載のＩＣホルダー。
【請求項３】
前記音声出力設定回路は、前記ＣＰＵが処理できないアプリケーションが存在する場合に、その原因を音声に変換し、イヤホンに出力するものであることを特徴とする請求項１に記載のＩＣホルダー。
【発明の詳細な説明】
【技術分野】
【０００１】
本発明は、ＳＩＭ、ＵＩＭなどと呼ばれる小型のＩＣカードに記録された情報を処理可能なＩＣホルダーに関する。
【背景技術】
【０００２】
従来より、接触と非接触のデュアルインターフェイスＳＩＭを装着でき、液晶ディスプレイ、近距離間通信手段、指紋センサを備え、ＳＩＭと呼ばれるＩＣカードに記録された情報を処理可能なＳＩＭリーダライタが利用されている（例えば、特許文献１、２参照）。
【特許文献１】特開２００４−２６４９１５号公報
【特許文献２】特開２００４−２６４９１６号公報
【発明の開示】
【発明が解決しようとする課題】
【０００３】
しかしながら、上記従来のＳＩＭリーダライタでは、処理内容を液晶ディスプレイで確認するようになっているだけであるため、利用者に対する通知または警告を行う手段としては不十分であるという問題がある。
【０００４】
そこで、本発明は、ＩＣカードに記録された情報に対して行う処理について、その内容を音声で通知することが可能なＩＣホルダーを提供することを課題とする。
【課題を解決するための手段】
【０００５】
上記課題を解決するため、本発明では、着脱可能なＩＣカードに記録された情報を処理可能であるとともに無線通信が可能であるＩＣホルダーであって、ＣＰＵが処理した情報を音声に変換する音声出力設定回路と、前記音声出力設定回路から出力する音声の音量を調節する音量調節手段と、前記音声出力設定回路からイヤホンに音声を出力するためのイヤホンジャックを備えたＩＣホルダーを提供する。
【発明の効果】
【０００６】
本発明によれば、ＣＰＵが処理した情報を音声出力設定回路が音声に変換し、イヤホンジャックから音声出力するようにしたので、利用者は処理内容を音声により知ることができ、利用者が画面を見られないような状況にあるときでも、処理内容を確認することが可能となる。
【発明を実施するための最良の形態】
【０００７】
以下、本発明の好適な実施形態について、図面を参照して詳細に説明する。
まず、本発明に係るＩＣホルダーの構成について説明する。図１は、本発明のＩＣホルダーのブロック構成を示す図である。本発明のＩＣホルダーは、特許文献１に記載のＳＩＭリーダライタと大部分が共通の構造となっており、小型のＩＣカードであるＳＩＭ２を着脱可能に装着して保持するとともに、ＳＩＭ２内の情報を読み書きする機能を有している。
【０００８】
なお、ＳＩＭ（Ｓｕｂｓｃｒｉｂｅｒ  Ｉｄｅｎｔｉｔｙ  Ｍｏｄｕｌｅ）は、小型のＩＣカードである。本実施形態では、ＩＣカードとしてＳＩＭを採用しているが、ＵＩＭ（Ｕｓｅｒ  Ｉｄｅｎｔｉｔｙ  Ｍｏｄｕｌｅ）、ＵＳＩＭ（Ｕｎｉｖｅｒｓａｌ  ＳＩＭ）、その他のＩＣカードを用いるようにしても良い。
【０００９】
ＩＣホルダーは、ＣＰＵ３ａおよびメモリ３ｂを有している。メモリ３ｂとしては、ＦＬＡＳＨメモリやＳＲＡＭを使用することができ、このメモリ３ｂには、ＩＳＯ７８１６ドライバ、液晶ディスプレイ駆動用の液晶ドライバ、無線通信用のBluetoothドライバ、指紋センサドライバ、指紋画像処理ソフトウェアが格納されている。また、メモリ３ｂには、その他の使用可能なアプリケーションプログラムが格納されている。ＳＩＭ２の信号は、リーダライタ（Ｒ／Ｗ）端子板１２を介してＣＰＵ３ａに接続する。
【００１０】
リーダライタ端子板１２は、ＳＩＭ２が備える接触端子板の８端子と接続する 構造を有している。接触端子の場合、予備端子となっているＣ４とＣ８端子が、ＩＣホルダーのケーシング内のアンテナコイル１１ａに接続するようにされている。アンテナコイル１１ａは、ＩＳＯ１４４４３ＴｙｐｅＡ，Ｂに準拠した非接触通信を行うためのものである。ＩＣホルダー１は、液晶ディスプレイ４やＣＰＵ３ａ等の駆動電源として２次電池７を備えている。２次電池７には薄型のリチウムイオン電池を好ましく使用できる。スイッチボタン２１は電源のオン−オフ、スイッチボタン２２はブルートゥース通信決定のため、スイッチボタン２３は表示選択や動作決定のために用いられる。
【００１１】
ＳＩＭ２には、ＩＣホルダーが処理可能なアプリケーションに対応したデータが格納されている。図１の例では、入退室アプリケーション（図中「入退室アプリ」と表記）、デスクトップセキュリティ、プリンタ管理、ロッカーキー管理の４つのアプリケーションに対応したデータが記録されている。ＳＩＭ２がＩＣホルダーに装着された後、アプリケーションを起動すると、対応するＳＩＭ２内のデータが処理されることになる。
【００１２】
本発明のＩＣホルダーが、特許文献１に記載のＳＩＭリーダライタと大きく異なるのは、音声出力設定回路３１、音量調節ダイヤル３２、イヤホンジャック３３を有する点である。
【００１３】
音声出力設定回路３１は、出力すべき音声信号を、ＣＰＵ３ａから受け取る所定の信号と対応付けて記録しており、ＣＰＵ３ａから信号を受け取ると、その信号に対応する音声信号をイヤホンジャック３３に出力する機能を有している。音量調節ダイヤル３２は、音声出力設定回路３１がイヤホンジャック３３に出力する音声の音量を調節する機能を有している。イヤホンジャック３３は、イヤホンの差込口であり、イヤホンへの音声出力をするためのものである。
【００１４】
続いて、本発明に係るＩＣホルダーの処理動作について説明する。本発明に係るＩＣホルダーでは、処理に関する様々な情報を音声出力することが可能であるが、ここでは、ＩＣホルダーが実行可能なアプリケーションプログラムを出力する場合を例にとって説明する。
【００１５】
電源がオンにされた状態で、利用者がスイッチボタン２３を所定時間押し続けると、ＣＰＵ３ａは、それをアプリケーションプログラム出力の指示であると判断し、メモリ３ｂに格納されたアプリケーションプログラムのタイトルを抽出する。例えば、メモリに、「入退室アプリケーション」「デスクトップセキュリティ」「プリンタ管理」「ロッカーキー管理」の４つのアプリケーションが格納されていたとする。この場合、ＣＰＵ３ａは、これら４つのタイトルを抽出して、対応する信号を音声出力設定回路１４に出力する。
【００１６】
音声出力設定回路３１では、ＣＰＵ３ａから受け取った信号に対応する音声信号をイヤホンジャック３３に出力する。この際、その信号のレベルは、音量調節ダイヤル３２により調節された大きさとする。イヤホンジャック３３にイヤホンが接続されている場合は、イヤホンからアプリケーションプログラムのタイトルが順番に音声出力される。
【００１７】
このようにして、利用者が画面を見られないような状況にあるときでも、処理可能なアプリケーションプログラムを確認することが可能となる。
【００１８】
次に、ＩＣカードに搭載されているアプリケーションプログラムが使用できない場合に、その原因を出力する場合について説明する。まず、利用者がアプリケーションプログラムの実行指示を行うと、ＣＰＵ３ａは、そのアプリケーションプログラムを読み込む処理を行う。この際、例えば、ＳＩＭ２が破損していた場合には、アプリケーションプログラムを読み込むことができず、ＳＩＭ２からは何も返事が返って来ない。この場合、ＣＰＵ３ａはＳＩＭ２が破損していると判断し、対応する信号を音声出力設定回路３１に出力する。
【００１９】
音声出力設定回路３１では、ＣＰＵ３ａから受け取った信号に対応する音声信号をイヤホンジャック３３に出力する。したがって、この場合、イヤホンからＳＩＭ２が破損している旨が音声出力される。
【００２０】
また、利用者がＳＩＭ２を利用した処理を行っている場合に、一定のシーケンスに従っていない処理を行った場合には、ＣＰＵ３ａは、対応する信号を音声出力設定回路３１に出力する。
【００２１】
音声出力設定回路３１では、ＣＰＵ３ａから受け取った信号に対応する音声信号をイヤホンジャック３３に出力する。したがって、この場合、イヤホンから一定のシーケンスに従っていない処理を行った旨が音声出力される。
【図面の簡単な説明】
【００２２】
【図１】本発明に係るＩＣホルダーのブロック構成を示す図である。
【符号の説明】
【００２３】
１・・・ＩＣホルダー
２・・・ＳＩＭ
３ａ・・・ＣＰＵ
３ｂ・・・メモリ
４・・・液晶ディスプレイ
５・・・指紋センサ
７・・・２次電池
１１ａ・・・アンテナコイル
１１ｂ・・・Bluetooth用チップアンテナ
１２・・・リーダライタ端子板
２１〜２３・・・スイッチボタン
３１・・・音声出力設定回路
３２・・・音量調節ダイヤル
３３・・・イヤホンジャック
【図１】
2008040770.tif 000003